(57)【要約】【課題】  リレー記録によって複数の記録媒体にまたがって動画ファイルが生成される場合において、１つの記録媒体内に互いに関係のないリレー記録による動画ファイルが複数存在するという事態が生じることを防止する。【解決手段】  第１の記録媒体１１２に動画データを記録中に第１の記録媒体１１２への動画データの記録が不可となった場合に、記録先を第２の記録媒体１１３に切り替えて動画データの記録を継続するリレー記録の実行が指定された際に、前記第１及び第２の記録媒体のうちの少なくともいずれか１つに先に行われたリレー記録により動画データが既に記録されている場合、後のリレー記録の実行を禁止する。【選択図】  図１
2014045365.tif 000002
【特許請求の範囲】
【請求項１】
第１の記録媒体に動画データを記録中に前記第１の記録媒体への動画データの記録が不可となった場合に、記録先を第２の記録媒体に切り替えて動画データの記録を継続するリレー記録を行う記録手段と、
前記第１及び第２の記録媒体のうちの少なくともいずれか１つに、先に行われたリレー記録により動画データが既に記録されている場合、前記記録手段による後のリレー記録の実行を禁止する制御手段と、
を有することを特徴とする記録装置。
【請求項２】
前記制御手段は、
前記動画データがリレー記録により記録されたか否かを示す値を含むリレー記録情報を生成して記録し、
前記第１及び第２の記録媒体に記録された各動画データに付属する前記リレー記録情報が示す値に基づき、前記第１及び第２の記録媒体のうちの少なくともいずれか１つに先に行われたリレー記録により動画データが既に記録されているか否かを判別する
ことを特徴とする請求項１に記載の記録装置。
【請求項３】
前記リレー記録情報は、動画データがリレー記録されたシーンではないことを示す第１の値、動画データがリレー記録前半のシーンであることを示す第２の値、動画データがリレー記録後半のシーンであることを示す第３の値のうちのいずれか１つの値を含み、
前記制御手段は、前記第１及び第２の記録媒体に記録された各動画データに関する前記リレー記録情報が示す値が前記第１の値以外の値である場合に、後のリレー記録の実行を禁止する
ことを特徴とする請求項２に記載の記録装置。
【請求項４】
前記制御手段は、後のリレー記録の実行を禁止する場合、リレー記録ができない旨の警告をユーザーに対して提示することを特徴とする請求項１乃至３のいずれか１項に記載の記録装置。
【請求項５】
前記制御手段は、前記警告と共に又は前記警告の後に、リレー記録を可能にするための処理として、先に行われたリレー記録により動画データが既に記録されている記録媒体の初期化、動画データの記録媒体からの消去、動画データの他の記録媒体への移動のうちのいずれか１つの処理をユーザーに選択させるためのユーザーインタフェースを含むことを特徴とする請求項４に記載の記録装置。
【請求項６】
第１の記録媒体に動画データを記録中に前記第１の記録媒体への動画データの記録が不可となった場合に、記録先を第２の記録媒体に切り替えて動画データの記録を継続するリレー記録を行う記録装置の制御方法であって、
受付手段が、リレー記録を行う指示を受け付ける受付ステップと、
前記第１及び第２の記録媒体のうちの少なくともいずれか１つに、先に行われたリレー記録により動画データが既に記録されている場合、制御手段が、前記受付ステップで受け付けたリレー記録の実行を禁止する制御ステップと、
を有することを特徴とする記録装置の制御方法。
【請求項７】
コンピュータに請求項６に記載の記録装置の制御方法の各ステップを実行させるためのプログラム。
【発明の詳細な説明】
【技術分野】
【０００１】
本発明は記録装置に関し、特に、動画の記録の制御技術に関する。
【背景技術】
【０００２】
従来、動画を記録媒体に記録する装置が知られている。記録装置において、動画記録中に記録媒体の残量が無くなった場合、別の記録媒体に続けて動画を記録するリレー記録機能を持つものが知られている（例えば、特許文献１参照）。
【先行技術文献】
【特許文献】
【０００３】
【特許文献１】特開２００５−１７４３９０号公報
【発明の概要】
【発明が解決しようとする課題】
【０００４】
リレー記録によって複数の記録媒体にまたがって記録された複数の動画ファイルを一つの動画ファイルに結合することができれば利便性が高いであろう。しかし、１つの記録媒体内に互いに関係のないリレー記録による動画ファイルが複数存在することになった場合、それらのうちどの動画ファイルが結合対象であるのか分からなくなるという問題が生じる。
【０００５】
本発明はこのような問題が生じることを未然に防止する構成を提供する。
【課題を解決するための手段】
【０００６】
本発明の一側面によれば、第１の記録媒体に動画データを記録中に前記第１の記録媒体への動画データの記録が不可となった場合に、記録先を第２の記録媒体に切り替えて動画データの記録を継続するリレー記録を行う記録手段と、前記第１及び第２の記録媒体のうちの少なくともいずれか１つに、先に行われたリレー記録により動画データが既に記録されている場合、前記記録手段による後のリレー記録の実行を禁止する制御手段とを有することを特徴とする記録装置が提供される。
【発明の効果】
【０００７】
本発明によれば、リレー記録によって複数の記録媒体にまたがって動画ファイルが生成される場合において、１つの記録媒体内に互いに関係のないリレー記録による動画ファイルが複数存在するという事態が生じることが防止される。
【図面の簡単な説明】
【０００８】
【図１】実施形態に係るビデオカメラの内部構成例を示すブロック図。
【図２】実施形態における通常記録及びリレー記録を説明する図。
【図３】リレー記録時の管理情報の例を示す図。
【図４】実施形態１におけるリレー記録モードの設定時の処理のフローチャート。
【図５】実施形態１におけるリレー記録可否判断処理のフローチャート。
【図６】実施形態１における、リレー記録による複数の動画像を結合する処理のフローチャート。
【図７】実施形態１における、リレー記録の方法を選択するＵＩ及びリレー記録できない旨の警告表示の例を示す図。
【図８】実施形態１における、リレー記録による複数の動画像を結合する処理に係るＵＩの例を示す図。
【図９】実施形態２におけるリレー記録可否判断処理のフローチャート。
【図１０】実施形態２における、リレー記録による複数の動画像を結合する処理のフローチャート。
【図１１】実施形態２における、リレー記録による複数の動画像を結合する処理に係るＵＩの例を示す図。
【図１２】実施形態３におけるリレー記録モードの設定時の処理のフローチャート。
【図１３】実施形態３における、リレー記録モードに入る際の処理において提示されるＵＩの例を示す図。
【図１４】結合動画ファイルを作成するためのパーソナルコンピュータ（ＰＣ）の構成を示す図。
【発明を実施するための形態】
【０００９】
＜第１の実施形態＞
図１は、本実施形態に係るビデオカメラ１００の内部構成例を示すブロック図である。図１において、レンズユニット１０１は、集光のための固定レンズ群、変倍レンズ群、絞り、変倍レンズ群の動きで移動した結像位置を補正する機能と焦点調節を行う機能とを兼ね備えた補正レンズ群により構成されている。レンズユニット１０１によって、最終的に後述のＣＣＤ１０２の結像面上に被写体像が結像される。
【００１０】
ＣＣＤ（charge coupled device）１０２は、光を電荷に変換し撮像信号を生成する。カメラ信号処理部１０３は、ＣＣＤ１０２から出力された動画データに所定の処理を施して出力する。圧縮伸張回路１０４は、カメラ信号処理部１０３からの動画データをＭＰＥＧ方式などの公知の符号化方式に従って符号化することにより圧縮する。また、圧縮伸張回路１０４は、再生時においては、圧縮された動画データを復号し、伸張する。
【００１１】
マイクロコンピュータであるマイコン１０７はフラッシュＲＯＭ１０８に記憶されたプログラムに従ってビデオカメラ１００全体を制御する。フラッシュＲＯＭ１０８は、マイコン１０７が実行するプログラムなどを格納する。また、フラッシュＲＯＭ１０８の一部領域は、バックアップ用として、システムの状態などを保持するために使用される。ＲＡＭ１０９は、マイコン１０７や圧縮伸張回路１０４などがワークエリアとして使用する揮発性メモリである。
【００１２】
記録再生回路１１０は、圧縮伸張回路１０４からの動画データを第１の記録媒体１１２、第２の記録媒体１１３、第３の記録媒体１１４のいずれかに記録し、また、各記録媒体から動画データを読み出す。本実施形態では、記録再生回路１１０は、ＦＡＴファイルシステムなどコンピュータと互換のあるフォーマットに従って、動画データを動画ファイルに格納して記録する。第１の記録媒体１１２、第２の記録媒体１１３、第３の記録媒体１１４はメモリカードなどのランダムアクセスの記録媒体であり、不図示の装着、排出機構によりビデオカメラ１００に対して自由に交換することができる。また、各記録媒体は、ビデオカメラ１００以外にもパーソナルコンピュータ（ＰＣ）等に装着することができる。
【００１３】
バス１１５は各部の間でデータや制御コマンドなどを送受信する。表示制御部１０５は、各種設定メニューやタイトル、時間などの情報を、表示する画像に重畳し、液晶パネル１０６に出力して表示する。液晶パネル１０６は、表示制御部１０５からの制御を受け、画像を表示する。また、特に図示していないが、ビデオカメラ１００は、マイクユニット、スピーカーや外部出力経路を備えており、圧縮伸張回路１０４は、画像データと共に音声データの圧縮伸張も行う。すなわち、前述の圧縮ビデオデータには音声データも多重化される。 
操作スイッチ群１１１は、ユーザーが操作入力するための各種のスイッチを備えている。また、操作スイッチ群１１１には、主としてカメラ撮影を行うためのカメラモードと、主として再生させるための再生モードと、電源オフとするパワーオフモードとを選択するためのスイッチも設けられている。
【００１４】
通常の撮影動作について説明する。操作スイッチ群１１１より電源投入の指示があると、マイコン１０７はビデオカメラ１００をカメラモードに設定し、各部の動作を制御する。ＣＣＤ１０２により撮影された動画データがバス１１５を介して表示制御部１０５に送られる。表示制御部１０５は、撮影された動画データを液晶パネル１０６に送り、表示する。このような撮影待機状態において、ユーザーにより操作スイッチ群１１１が操作され、撮影開始の指示があった場合、マイコン１０７は各部を制御して動画の記録を開始する。本実施形態では、ユーザーは、撮影待機状態において、通常撮影モードにて動画データを記録する記録先としての記録媒体を、第１の記録媒体１１２、第２の記録媒体１１３、第３の記録媒体１１４の中から選択することができる。圧縮伸張回路１０４は、記録開始の指示に応じて、カメラ信号処理部１０３からの動画データを圧縮して記録再生回路１１０に送る。記録再生回路１１０は、第１の記録媒体１１２、第２の記録媒体１１３、第３の記録媒体１１４のうち、ユーザーにより選択された記録媒体に動画ファイルを作成する。そして、圧縮された動画データを動画ファイルに格納して記録する。このように、動画の記録を開始した後、記録停止の指示があると、マイコン１０７は各部に対して記録停止を指示する。記録再生回路１１０は、記録停止の指示に応じて動画ファイルの記録を停止する。そして、撮影待機状態となる。
【００１５】
本実施形態では、ビデオカメラ１００は、通常撮影モード以外に、リレー記録モードを持つ。リレー記録モードにおいては、動画の記録中に、記録媒体の残量が無くなった場合、自動的に他の記録媒体に新たな動画ファイルを作成し、動画の記録を続ける。
【００１６】
図２は、通常記録とリレー記録の概念図である。２０１は通常記録の動作を示している。なお、ビデオカメラ１００は、動画像を記録するための記録先の記録媒体を選択する機能を有しており、２０１では第１の記録媒体１１２が記録先の記録媒体として選択されている。
【００１７】
操作スイッチ群１１１より記録開始が指示されると、マイコン１０７は、記録再生回路１１０を制御し、圧縮伸張回路１０４で生成された動画像データを第１の記録媒体１１２に記録する。ここでは、00001.mtsという名前のファイルが第１の記録媒体１１２に記録される。その後、操作スイッチ群１１１より記録停止が指示されると、マイコン１０７は、記録再生回路１１０を制御し、第１の記録媒体１１２への動画像データの記録を停止する。また、第１の記録媒体１１２の記録可能容量が無くなった際もこの状態になる。
【００１８】
操作スイッチ群１１１より、記録先の記録媒体として第２の記録媒体１１３が指示されると、マイコン１０７は、記録先の記録媒体を、第２の記録媒体１１３に変更する。その後、操作スイッチ群１１１より記録開始が指示されると、マイコン１０７は、記録再生回路１１０を制御し、圧縮伸張回路１０４で生成された動画像データを第２の記録媒体１１３に記録する。ここでは、00002.mtsという名前のファイルが第２の記録媒体１１３に記録される。その後、操作スイッチ群１１１より記録停止が指示されると、マイコン１０７は、記録再生回路１１０を制御し、第２の記録媒体１１３への動画像データの記録を停止する。
【００１９】
２０２は、第１の記録媒体１１２から第２の記録媒体１１３へのリレー記録（リレー記録１）の動作を示している。２０２では第１の記録媒体１１２が記録先の記録媒体として選択されている。
【００２０】
操作スイッチ群１１１より記録開始が指示されると、マイコン１０７は、記録再生回路１１０を制御し、圧縮伸張回路１０４で生成された動画像データを第１の記録媒体１１２に記録する。ここでは00001.mtsという名前のファイルが第１の記録媒体１１２に記録される。その記録中に第１の記録媒体１１２の空き容量がなくなって記録が不可となると、マイコン１０７は、第１の記録媒体１１２への動画の記録を停止する。そして、マイコン１０７は、記録先の記録媒体を第２の記録媒体１１３へ自動的に切り替える。その後、マイコン１０７は、記録再生回路１１０を制御し、圧縮伸張回路１０４で生成された動画像データを第２の記録媒体１１３に記録する。このように自動的に記録先の記録媒体が自動的に切り替えられて動画データの記録が継続される。ここでは、00002.mtsという名前のファイルが第２の記録媒体１１３に記録される。その後、操作スイッチ群１１１より記録停止が指示されると、マイコン１０７は、記録再生回路１１０を制御し、第２の記録媒体１１３への動画像データの記録を停止する。本実施形態では、不図示のタイマーを用いて記録時の経過時間を示すタイムコードを生成し、動画データの各フレームに付加して記録する。なお、00001.mtsと00002.mtsは図のようにタイムコードが連続して記録されている。タイムコードが連続して記録されるということは、例えば次のような状態をいう。すなわち、２０２を例にすると、00001.mtsの終了フレームのタイムコードが01:00:10:03であれば、00002.mtsの先頭のフレームに付加されているタイムコードは01:00:10:04となっている。
【００２１】
２０３は、第１の記録媒体１１２から第２の記録媒体１１３、第２の記録媒体１１３から第３の記録媒体１１４への一連のリレー記録（リレー記録２）の動作を示している。２０３では第１の記録媒体１１２が記録先の記録媒体として選択されている。
【００２２】
操作スイッチ群１１１より記録開始が指示されると、マイコン１０７は、記録再生回路１１０を制御し、圧縮伸張回路１０４で生成された動画像データを第１の記録媒体１１２に記録する。ここでは00001.mtsという名前のファイルが第１の記録媒体１１２に記録される。その後、第１の記録媒体１１２の空き容量がなくなると、マイコン１０７は、第１の記録媒体１１２への動画の記録を停止する。そして、マイコン１０７は、記録先の記録媒体を第２の記録媒体１１３へ切り替える。その後、マイコン１０７は、記録再生回路１１０を制御し、圧縮伸張回路１０４で生成された動画像データを第２の記録媒体１１３に記録する。ここでは、00002.mtsという名前のファイルが第２の記録媒体１１３に記録される。
【００２３】
その後、第２の記録媒体１１３の空き容量がなくなると、マイコン１０７は、第２の記録媒体１１３への動画の記録を停止する。そして、マイコン１０７は、記録先の記録媒体を第３の記録媒体１１４へ切り替える。その後、マイコン１０７は、記録再生回路１１０を制御し、圧縮伸張回路１０４で生成された動画像データを第３の記録媒体１１４に記録する。ここでは、00003.mtsという名前のファイルが第３の記録媒体１１４に記録される。その後、操作スイッチ群１１１より記録停止が指示されると、マイコン１０７は、記録再生回路１１０を制御し、第３の記録媒体１１４への動画像データの記録を停止する。なお、00001.mtsと00002.mts、00002.mtsと00003.mtsに記録されたタイムコードの値は、連続している。
【００２４】
本実施形態では、マイコン１０７は、各記録媒体に対し、記録されたファイルを管理するための管理情報を含む管理ファイルを生成して記録する。また、本実施形態では、マイコン１０７は、各記録媒体に記録される動画ファイルに付属する情報として、当該動画データのリレー記録の状態に関するリレー記録情報を生成し、動画ファイルの記録に応じて、管理ファイルに格納する。図３は、図２の通常記録とリレー記録で動画像が記録された際に各記録媒体に記録される管理ファイルに格納された管理情報の例を示す図である。
【００２５】
リレー記録情報は、図３の３００に示すように、以下の４つの状態をとりうる。
・リレー記録されたシーンではない（第１の値：0x30）。
・リレー記録前半のシーン（第２の値：0x31）。
・リレー記録後半のシーン（第３の値：0x32）。
・リレー記録中盤のシーン（第４の値：0x33）。
【００２６】
３０１は、図２の２０１で示した通常記録の際、第１の記録媒体１１２、第２の記録媒体１１３に記録された管理ファイルの一部である。第１の記録媒体１１２に記録されている動画像（00001.mts）はリレー記録された動画像ではないため、管理ファイルのリレー記録情報が示す値は0x30となる。また、第２の記録媒体１１３に記録されている動画像（00002.mts）もリレー記録された動画像ではないため、管理ファイルのリレー記録情報が示す値は0x30となる。
【００２７】
３０２は、図２の２０２で示したリレー記録１の際、第１の記録媒体１１２、第２の記録媒体１１３に記録された管理ファイルの一部である。第１の記録媒体１１２に記録されている動画像（00001.mts）はリレー記録された動画像であって、リレー動画像の前半の動画像であるため、管理ファイルのリレー記録情報が示す値は0x31となる。また、第２の記録媒体１１３に記録されている動画像（00002.mts）は、リレー記録された動画像であって、リレー動画像の後半の動画像であるため、管理ファイルのリレー記録情報が示す値は0x32となる。
【００２８】
３０３は、図２の２０３で示したリレー記録２の際、第１の記録媒体１１２、第２の記録媒体１１３、第３の記録媒体１１４に記録された管理ファイルの一部である。第１の記録媒体１１２に記録されている動画像（00001.mts）はリレー記録された動画像であって、リレー動画像の前半の動画像であるため、管理ファイルのリレー記録情報が示す値は0x31となる。また、第２の記録媒体１１３に記録されている動画像（00002.mts）は、リレー記録された動画像であって、リレー動画像の中盤の動画像であるため、管理ファイルのリレー記録情報が示す値は0x33となる。また、第３の記録媒体１１４に記録されている動画像（00003.mts）は、リレー記録された動画像であって、リレー動画像の後半の動画像であるため、管理ファイルのリレー情報は0x32となる。
【００２９】
図４に本実施形態におけるリレー記録モードの設定時の処理のフローチャートを示す。図４のフローチャートにおける各処理は、ビデオカメラ１００を構成するマイコン１０７がフラッシュＲＯＭ１０８に保存されているプログラムを実行することにより実現される。
【００３０】
Ｓ４０１は、リレー記録を行う指示を受け付ける受付ステップである。具体的には、Ｓ４０１では、マイコン１０７は、ビデオカメラ１００がリレー記録設定されたか、通常記録設定されたかを判断する。ここで、リレー記録設定とは、ビデオカメラ１００が現在記録している記録媒体の容量がフルになった際、図２の２０２または２０３に示す動作を行う設定である。また、通常記録設定は、ビデオカメラ１００が現在記録している記録媒体の容量がフルになった際、図２の２０１に示す動作を行う設定である。なおこの設定は、マイコン１０７によりＲＡＭ１０９へ保存されている。リレー記録設定がされたときは、処理はＳ４０２へ進む。リレー記録設定がされなかったときは、処理は終了する。
【００３１】
Ｓ４０２では、ユーザーは操作スイッチ群１１１を操作して、リレー記録の方法を選択する。リレー記録の方法を選択するためのユーザーインタフェース（ＵＩ）の例を、図７の７０１に示す。本実施形態では、リレー記録の際、第１の記録媒体１１２から第２の記録媒体１１３にまたがって動画像を記録する方法と、第１の記録媒体１１２→第２の記録媒体１１３→第３の記録媒体１１４の順に記録する方法がある。ユーザーは、これらの記録方法から所望の記録方法を選択する。リレー記録方法が選択されると、処理はＳ４０３へ進む。
【００３２】
Ｓ４０３では、マイコン１０７は、記録再生回路１１０により、Ｓ４０２で選択されたリレー記録の際の記録先の記録媒体内から管理ファイルを読み出す。そして、マイコン１０７は、読み出した管理ファイルに格納されている各動画像のリレー記録情報を取得する。例えば、第１の記録媒体１１２から第２の記録媒体１１３にまたがって動画像を記録する方法が選択された場合は、第１の記録媒体１１２と第２の記録媒体１１３がリレー記録の際の記録先の記録媒体となる。また、第１の記録媒体１１２から第２の記録媒体１１３、第３の記録媒体１１４にまたがって記録する方法が選択された場合は、第１の記録媒体１１２、第２の記録媒体１１３、及び第３の記録媒体１１４が、リレー記録の際の記録先の記録媒体となる。
【００３３】
Ｓ４０４では、マイコン１０７は、Ｓ４０３で取得したリレー記録情報に基づいて、リレー記録が可能か否かを判別する。この判断の方法については図５を参照して後で説明する。Ｓ４０５で、リレー記録が可能の場合、処理はＳ４０６へ進む。一方、リレー記録が不可能の場合は、処理はＳ４０７へ進む。
【００３４】
Ｓ４０６では、マイコン１０７は、ビデオカメラ１００をＳ４０２で選択されたリレー記録方式を行う状態へと遷移させ、その後、本処理を終了する。なお、この状態で、操作スイッチ群１１１より記録開始指示が入力された際は、Ｓ４０２で選択された方法に従い、図２の２０２又は２０３で説明したような動作にて、リレー記録を行う。
【００３５】
Ｓ４０７では、マイコン１０７は、表示制御部１０５を制御して、液晶パネル１０６に対して、図７の７０２に示すような、リレー記録できない旨の警告を表示させる。なお、この状態で、操作スイッチ群１１１より記録開始指示が入力された際は、図２の２０１で説明したような動作にて、通常記録を行う。
【００３６】
図５は、Ｓ４０４のリレー記録可能か否かの判別を行う処理のフローチャートである。
【００３７】
図５において、（Ａ）は、Ｓ４０２で第１の記録媒体１１２から第２の記録媒体１１３にまたがって動画像を記録することが選択された際の処理を示している。
【００３８】
（Ａ）において、Ｓ５０１では、マイコン１０７は、第１の記録媒体１１２にリレー記録による動画像が記録されているか否かを判断する。この判断は、具体的には、Ｓ４０３で取得した、第１の記録媒体１１２内に記録されている各動画像のリレー記録情報が示す値が、リレー記録されたシーンではないことを示す第１の値（0x30）であるか否かを判断することにより行われる。第１の記録媒体１１２内の各動画像のリレー記録情報が示す値が全て第１の値である場合は、処理はＳ５０２へ進む。第１の値以外の値を示すリレー記録情報を持つ動画像が見つかった場合は、リレー記録は不可と判断する（Ｓ５０４）。
【００３９】
Ｓ５０２では、マイコン１０７は、第２の記録媒体１１３にリレー記録による動画像が記録されているか否かを判断する。この判断は、Ｓ５０１と同様、Ｓ４０３で取得した、第２の記録媒体１１３に記録されている各動画像のリレー記録情報が示す値が0x30であるか否かを判断することにより行われる。第２の記録媒体１１３に記録された各動画像のリレー記録情報が示す値が全て0x30である場合は、リレー記録可能であると判断する（Ｓ５０３）。0x30以外の値を示すリレー記録情報を持つ動画像が見つかった場合は、リレー記録は不可と判断する（Ｓ５０４）。
【００４０】
図５の（Ｂ）は、Ｓ４０２で、第１の記録媒体１１２から第２の記録媒体１１３、第３の記録媒体１１４にまたがって動画像を記録することが選択された際の処理を示している。
【００４１】
（Ｂ）において、Ｓ５１１では、マイコン１０７は、第１の記録媒体１１２にリレー記録による動画像が記録されているか否かを判断する。この判断は、具体的には、Ｓ４０３で取得した、第１の記録媒体１１２に記録されている各動画像のリレー記録情報が示す値が、0x30であるか否かを判断することにより行われる。第１の記録媒体１１２に記録された各動画像のリレー記録情報が示す値が全て0x30である場合は、処理はＳ５１２へ進む。0x30以外の値を示すリレー記録情報を持つ動画像が見つかった場合は、リレー記録は不可と判断する（Ｓ５１５）。
【００４２】
Ｓ５１２では、マイコン１０７は、第２の記録媒体１１３にリレー記録による動画像が記録されているか否かを判断する。この判断は、Ｓ４０３で取得した、第２の記録媒体１１３に記録されている各動画像のリレー記録情報が示す値が0x30であるか否かを判断することにより行われる。第２の記録媒体１１３に記録された各動画像のリレー記録情報が示す値が全て0x30である場合は、処理はＳ５１３へ進む。0x30以外の値を示すリレー記録情報を持つ動画像が見つかった場合は、リレー記録は不可と判断する（Ｓ５１５）。
【００４３】
Ｓ５１３では、マイコン１０７は、第３の記録媒体１１４にリレー記録による動画像が記録されているか否かを判断する。この判断は、Ｓ４０３で取得した、第３の記録媒体１１４に記録されている各動画像のリレー記録情報が示す値が0x30であるか否かを判断することにより行われる。第３の記録媒体１１４に記録された各動画像のリレー記録情報が示す値が全て0x30である場合は、リレー記録可能であると判断する（Ｓ５１４）。0x30以外の値を示すリレー記録情報を持つ動画像が見つかった場合は、リレー記録不可と判断する（Ｓ５１５）。
【００４４】
上述のようにして、リレー記録モードにおいては、動画ファイルが複数の記録媒体に分割して記録されることになる。ここで、第１及び第２の記録媒体のうちの少なくともいずれか１つに先に行われたリレー記録に係る動画データが既に記録されているときは、後のリレー記録の実行が禁止される。
【００４５】
これら複数の動画ファイルは、例えばパーソナルコンピュータ（ＰＣ）を用いて１つの動画ファイルに結合することが可能である。以下、リレー記録モードにより複数の記録媒体に分割して記録された複数の動画ファイルを結合して一つの動画ファイルを作成する処理について説明する。図１４は、結合動画ファイルを作成するためのパーソナルコンピュータ（ＰＣ）の構成を示す図である。ＰＣ１４００は、ＣＰＵ１４０１、ＨＤＤなどのストレージ１４０２、記録媒体ＩＦ１４０３、メモリ１４０４、ユーザＩＦ１４０５、表示部１４０６、バス１４０７等を備える。ＰＣ１４００のストレージ１４０２には、分割動画ファイルを結合するためのソフトウェアが記憶されている。ＣＰＵ１４０１は、このソフトウェアに従って分割動画ファイルを結合する。記録媒体ＩＦ１４０３には、分割動画ファイルが記録された記録媒体１１２〜１１４のいずれかが装着される。
【００４６】
図６は、ＰＣ１４００に記憶されたソフトウェアにより実行される、リレー記録による複数の動画像を１つの動画像に結合する処理のフローチャートである。このフローチャートに対応するプログラムは、例えばストレージ１４０２に保持され、メモリ１４０４にロードされＣＰＵ１４０１により実行される。
【００４７】
Ｓ６０１では、図８の８０１に示すような、リレー記録した記録媒体の装着要求ＵＩを表示部１４０６に表示する。
【００４８】
次に、Ｓ６０２で、記録媒体が装着されたか否かを判断する。記録媒体が装着されていたら、処理はＳ６０３へ進む。装着されていなければ、処理はＳ６０１へ戻る。
【００４９】
Ｓ６０３では、装着された記録媒体に記録されている動画像の中でリレー記録情報が付加されている動画像をストレージ１４０２にコピーする。
【００５０】
次に、Ｓ６０４で、図８の８０２に示すような、他にリレー記録した記録媒体がないかを確認するためのＵＩを表示部１４０６に表示する。他にリレー記録した記録媒体がない場合は、処理はＳ６０５へ進む。他にリレー記録した記録媒体がある場合は、処理はＳ６０１へ戻る。
【００５１】
Ｓ６０５では、Ｓ６０３でコピーした動画像同士を、リレー記録情報を参照して結合する。例えば、0x31と0x32のリレー記録情報を持つ動画像をＳ６０３でコピーした際は、0x31のリレー記録情報を持つ動画像、0x32のリレー記録情報を持つ動画像の順に結合する。また、0x31、0x32、0x33のリレー記録情報を持つ動画像をＳ６０３でコピーした場合は、0x31のリレー記録情報を持つ動画像、0x33のリレー記録情報を持つ動画像、0x32のリレー記録情報を持つ動画像の順に結合する。
【００５２】
＜第２の実施形態＞
以下では、第２の実施形態として、Ｓ４０４のリレー記録可否判断処理の別の例を、図９のフローチャートを用いて説明する。それ以外の構成及び処理は第１の実施形態と同様であるため、それらの説明は省略する。図９において、（Ａ）は、Ｓ４０２で第１の記録媒体１１２から第２の記録媒体１１３にまたがって動画像を記録することが選択された際の処理を示している。
【００５３】
（Ａ）において、Ｓ９０１では、マイコン１０７は、Ｓ４０３で取得した、第１の記録媒体１１２に記録されている各動画像のリレー記録情報が示す値が、リレー記録前半のシーンであることを示す0x31であるか否かを判断する。第１の記録媒体１１２に記録された各動画像のリレー記録情報が全て0x31以外である場合は、処理はＳ９０２へ進む。0x31の値を示すリレー記録情報を持つ動画像が見つかった場合は、リレー記録は不可と判断する（Ｓ９０４）。
【００５４】
Ｓ９０２では、マイコン１０７は、Ｓ４０３で取得した、第２の記録媒体１１３に記録されている各動画像のリレー記録情報が示す値が、リレー記録後半のシーンであることを示す0x32であるか否かを判断する。第２の記録媒体１１３に記録された各動画像のリレー記録情報が示す値が全て0x32以外である場合は、リレー記録可能であると判断する（Ｓ９０３）。0x32の値を示すリレー記録情報を持つ動画像が見つかった場合は、リレー記録は不可と判断する（Ｓ９０４）。
【００５５】
図９の（Ｂ）は、Ｓ４０２で、第１の記録媒体１１２から第２の記録媒体１１３、第３の記録媒体１１４にまたがって動画像を記録することが選択された際の処理を示している。
【００５６】
（Ｂ）において、Ｓ９１１では、マイコン１０７は、Ｓ４０３で取得した、第１の記録媒体１１２に記録されている各動画像のリレー記録情報が示す値が、0x31であるか否かを判断する。第１の記録媒体１１２に記録された各動画像のリレー記録情報が示す値が全て0x31以外である場合は、処理はＳ９１２へ進む。0x31の値を示すリレー記録情報を持つ動画像が見つかった場合は、リレー記録は不可と判断する（Ｓ９１５）。
【００５７】
Ｓ９１２では、マイコン１０７は、Ｓ４０３で取得した、第２の記録媒体１１３に記録されている各動画像のリレー記録情報が示す値が、リレー記録中盤のシーンを示す0x33であるか否かを判断する。第２の記録媒体１１３に記録された各動画像のリレー記録情報が示す値が全て0x33以外である場合は、処理はＳ９１３へ進む。0x33の値を示すリレー記録情報を持つ動画像が見つかった場合は、リレー記録は不可と判断する）（Ｓ９１５）。
【００５８】
Ｓ９１３では、マイコン１０７は、Ｓ４０３で取得した、第３の記録媒体１１４に記録されている各動画像のリレー記録情報が示す値が0x32であるか否かを判断する。第３の記録媒体１１４に記録された各動画像のリレー記録情報が全て0x32以外である場合は、リレー記録可能であると判断する（Ｓ９１４）。0x32の値を示すリレー記録情報を持つ動画像が見つかった場合は、リレー記録不可と判断する（Ｓ９１５）。
【００５９】
図１０は、本実施形態における、リレー記録による複数の動画像を１つの動画像に結合する処理のフローチャートである。なお、この処理は、図１４のＰＣ１４００上で動作するアプリケーションを想定している。このフローチャートに対応するプログラムは、例えばストレージ１４０２に保持され、メモリ１４０４にロードされＣＰＵ１４０１により実行される。
【００６０】
Ｓ１０００では、図１１の１１０１に示すように、記録媒体に記録された動画像がどのリレー記録方法で記録されたか（Ｓ４０２で選択されたリレー記録方法）を選択する選択画面を表示し、ユーザーに選択させる。
【００６１】
次に、Ｓ１００１では、図１１の１１０２に示すような、リレー記録した記録媒体の中で最初に記録した記録媒体の装着を要求するＵＩを表示部１４０６に表示する。例えば、第１の記録媒体１１２→第２の記録媒体１１３→第３の記録媒体１１４の順にリレー記録されている場合は、ＵＩは第１の記録媒体１１２の装着を要求する。その後、記録媒体が装着されると、処理はＳ１００２へ進む。
【００６２】
Ｓ１００２では、装着された記録媒体内から、リレー記録情報が0x31の値（リレー記録前半のシーン）を示す動画像を検索する。見つかった場合はＳ１００３へ進む。見つからなかった場合はＳ１００９へ進む。
【００６３】
Ｓ１００３では、装着された記録媒体に記録されている動画像のうちリレー記録情報が0x31の値を示す動画像を、ストレージ１４０２にコピーする。
【００６４】
Ｓ１００４では、Ｓ１０００で、２メディアリレー記録（第１の記録媒体→第２の記録媒体）が選択されたか、３メディアリレー記録（第１の記録媒体→第２の記録媒体→第３の記録媒体）が選択されたかを判断する。２メディアリレー記録が選択された場合はＳ１００５へ進む。３メディアリレーが選択された場合はＳ１０１０へ進む。
【００６５】
Ｓ１００５では、図１１の１１０３に示すように、リレー記録した記録媒体のうちＳ１００１で装着された記録媒体の次の記録媒体の装着を要求するＵＩを表示部１４０６に表示する。ここでは第１の記録媒体→第２の記録媒体の順のリレー記録なので、ＵＩは第２の記録媒体の装着要求を表示する。その後、この要求に従い第２の記録媒体が装着されると、処理はＳ１００５へ進む。
【００６６】
Ｓ１００６では、Ｓ１００５で装着された記録媒体内から、リレー記録情報が0x32の値（リレー記録後半のシーン）を示す動画像を検索する。見つかった場合はＳ１００７へ進む。見つからなかった場合はＳ１００９へ進む。
【００６７】
Ｓ１００７では、Ｓ１００５で装着された記録媒体に記録されている動画像のうちリレー記録情報が0x32の値を示す動画像をストレージ１４０２にコピーする。
【００６８】
続くＳ１００８では、Ｓ１００３とＳ１００７でコピーした動画像同士を、リレー記録情報を参照して結合する。結合の方法はＳ６０５で説明したとおりである。その後、処理は終了する。
【００６９】
Ｓ１００９では、表示部１４０６にリレー記録した動画像が見つからない旨の警告を表示する。その後、処理は終了する。
【００７０】
Ｓ１０１０では、図１１の１１０３に示すような、リレー記録した記録媒体の中でＳ１００１で装着された続きの記録媒体の装着を要求するＵＩを表示部１４０６に表示する。ここでは、３メディアリレー記録（第１の記録媒体から第２の記録媒体、第２の記録媒体から第３の記録媒体へのリレー記録）が選択されているので、ＵＩは第２の記録媒体の装着要求を表示する。その後、この要求に従い第２の記録媒体が装着されると、処理はＳ１０１１へ進む。
【００７１】
Ｓ１０１１では、Ｓ１０１０で装着された記録媒体のうちリレー記録情報が0x33の値（リレー記録中盤のシーン）を示す動画像を検索する。見つかった場合はＳ１０１２へ進む。見つからなかった場合はＳ１０１８へ進む。
【００７２】
Ｓ１０１２では、Ｓ１０１０で装着された記録媒体に記録されている動画像のうちリレー記録情報が0x33の値を示す動画像を、ストレージ１４０２にコピーする。
【００７３】
Ｓ１０１３では、図１１の１１０３に示すように、リレー記録した記録媒体のうちＳ１０１０で装着された記録媒体の次の記録媒体の装着を要求するＵＩを表示部１４０６に表示する。ここでは３メディアリレー記録（第１の記録媒体から第２の記録媒体、第２の記録媒体から第３の記録媒体へのリレー記録）が選択されているので、ＵＩは第３の記録媒体の装着要求を表示する。その後、この要求に従い第３の記録媒体が装着されると、処理はＳ１０１４へ進む。
【００７４】
Ｓ１０１４では、Ｓ１０１３で装着された記録媒体内から、リレー記録情報が0x32の値（リレー記録後半のシーン）を示す動画像を検索する。見つかった場合はＳ１０１５へ進む。見つからなかった場合はＳ１０１７へ進む。
【００７５】
Ｓ１０１５では、Ｓ１０１３で装着された記録媒体に記録されている動画像のうちリレー記録情報が0x32の値を示す動画像をストレージ１４０２にコピーする。
【００７６】
続くＳ１０１６では、Ｓ１００３とＳ１０１２とＳ１０１５でコピーした動画像同士を、リレー記録情報を参照して結合する。結合の方法はＳ６０５で説明したとおりである。その後、処理は終了する。
【００７７】
Ｓ１０１７では、表示部１４０６に、リレー記録した動画像が見つからない旨の警告を表示する。その後、処理は終了する。
【００７８】
Ｓ１０１８では、Ｓ１０１０で装着された記録媒体内から、リレー記録情報が0x32の値を示す動画像で、Ｓ１００３でコピーした動画像とタイムコードが連続する動画像を検索する。ここでタイムコードが連続するというのは、Ｓ１００３でコピーした１つの動画像の終了フレームのタイムコードが例えば01:00:10:03である場合に、別の１つの動画像の先頭フレームのタイムコードが01:00:10:04となっている状態をいう。見つかった場合はＳ１０１９へ進む。見つからなかった場合はＳ１０２０へ進む。
【００７９】
Ｓ１０１９では、Ｓ１０１８で見つけた動画像をストレージ１４０２にコピーする。
【００８０】
続くＳ１０２０では、Ｓ１００３、Ｓ１０１９でコピーした動画像同士を、リレー記録情報を参照して結合する。結合の方法はＳ６０５で説明したとおりである。その後、処理は終了する。
【００８１】
Ｓ１０２１では、表示部１４０６に、リレー記録した動画像が見つからない旨の警告を表示する。その後、処理は終了する。
【００８２】
＜第３の実施形態＞
以下では、第３の実施形態として、図４に示したリレー記録モードの設定時の処理の変形例を、図１２のフローチャートを用いて説明する。
【００８３】
Ｓ１２０１では、マイコン１０７は、ビデオカメラ１００がリレー記録設定されたか、通常記録設定されたかを判断する。リレー記録設定がされたときは、処理はＳ１２０２へ進む。リレー記録設定がされなかったときは、処理は終了する。
【００８４】
Ｓ１２０２では、ユーザーは操作スイッチ群１１１を操作して、リレー記録の方法を選択する。リレー記録の方法を選択するためのＵＩの例は、図７の７０１に示したとおりのものである。リレー記録方法が選択されると、処理はＳ１２０３へ進む。
【００８５】
Ｓ１２０３では、マイコン１０７は、Ｓ１２０２で選択されたリレー記録方式を行う際のリレー記録対象となる記録媒体内に記録されている各動画像のリレー記録情報を取得する。
【００８６】
Ｓ１２０４では、マイコン１０７は、Ｓ１２０３で取得したリレー記録情報に基づいて、リレー記録が可能か否かを判断する。この判断の方法は、実施形態１で示した方法でもよいし、実施形態２で示した方法でもよい。Ｓ１２０５で、リレー記録が可能の場合は、処理はＳ１２０６へ進む。一方、リレー記録が不可能の場合は、処理はＳ１２０７へ進む。
【００８７】
Ｓ１２０６では、マイコン１０７は、ビデオカメラ１００をＳ１２０２で選択されたリレー記録方式を行う状態へと遷移させる。その後、本処理を終了する。なお、この状態で、操作スイッチ群１１１より記録開始指示が入力された際は、Ｓ１２０２で選択された方法に従い、図２の２０２又は２０３で説明したような動作にて、リレー記録を行う。
【００８８】
Ｓ１２０７では、マイコン１０７は、表示制御部１０５を制御して、液晶パネル１０６に対して、図１３の１３００に示すようなリレー記録ができない旨の警告と共に又はその後に、リレー記録を可能にするための操作案内を提示させる。リレー記録を可能にするための操作案内には、例えば、１３０２に示すように、次のようなものが含まれる。
・Ｓ１２０４でリレー記録不可の要因となった記録媒体の初期化。
・リレー記録不可の要因となった動画像ファイルの消去。
・リレー記録不可の要因となった動画像ファイルの他の記録媒体への移動。
なお、動画像ファイルの移動時は、リレー記録情報も移動してしまうと移動先の記録媒体でリレー記録できなくなるため、リレー記録情報は移動しない。また、この画面で、Ｓ１２０４でリレー記録不可と判断される要因の動画像のサムネイルや動画情報を、１３０１に示すように表示してもよい。なお、図中１３０２は、第２の記録媒体１１３の３シーン目のリレー記録情報がリレー記録に係るシーンであることを示していたためリレー記録不可となった際の、ＵＩである。Ｓ１２０２で第１の記録媒体１１２から第２の記録媒体１１３へのリレー記録を選択したが、Ｓ１２０４で第２の記録媒体１１３に0x32のリレー記録情報を持つ動画像が記録されていた場合には、次の処理の案内を表示する。
・第２の記録媒体１１３の初期化。
・第２の記録媒体１１３に記憶された動画像ファイルのうち0x32のリレー記録情報を持つ動画像ファイルの消去。
・第２の記録媒体１１３に記憶された動画像ファイルのうち0x32のリレー記録情報を持つ動画像ファイルの第３の記録媒体１１４への移動。
その後、処理はＳ１２０８へ進む。
【００８９】
Ｓ１２０８では、マイコン１０７は、操作スイッチ群１１１より入力される信号に基づいて、ユーザーがリレー記録を可能とするための操作を実施することを選択したか、リレー記録を可能とするための操作を実施しないことを選択したかを判断する。リレー記録を可能とするための操作を実施することが選択された場合は、処理はＳ１２０９へ進む。また、リレー記録を可能とするための操作を実施しないことが選択された場合は、処理はＳ１２１０へ進む。
【００９０】
Ｓ１２０９では、マイコン１０７は、表示制御部１０５を制御して、液晶パネル１０６に対して、図１３の１３１０に示すような、リレー記録を可能とするための操作の案内を表示させ、ユーザーに選択させる。その後、マイコン１０７は、操作スイッチ群１１１よりどの操作が選択されたかを判断する。その後、マイコン１０７は第１の記録媒体１１２乃至第３の記録媒体１１４を制御して、ユーザーが選択した処理を実行し、ビデオカメラ１００をリレー可能な状態にする。
【００９１】
例えば、図１３において、ユーザーにより第３の記録媒体１１３の初期化処理が選択された場合、マイコン１０７は、記録再生回路１１０により第３の記録媒体１１３の初期化処理を実行させる。
【００９２】
また、ユーザーにより該当シーンの消去の処理が選択された場合、マイコン１０７は以下の処理を行う。すなわち、マイコン１０７は、各記録先の記録媒体の管理ファイルに基づき、リレー記録情報として、リレー記録されたシーンを示す値（リレー前半、リレー中盤、リレー後半の何れか）が記録されたシーンを検出する。そして、マイコン１０７は、記録再生回路１１０により、検出されたシーンを各記録媒体から消去すると共に、消去されたシーンのリレー記録情報を管理ファイルから消去する。例えば、図１３では、マイコン１０７は、記録媒体１１３の３シーン目の動画ファイルとそのリレー記録情報を記録媒体１１３から消去する。
【００９３】
また、ユーザーにより該当シーンのコピー後消去（移動）処理が選択された場合、マイコン１０７は、各記録先の記録媒体の管理ファイルに基づき、リレー記録情報として、リレー記録されたシーンを示す値が記録されたシーンを検出する。そして、マイコン１０７は、記録再生回路１１０により、リレー記録されたシーンを別の記録媒体にコピーした後消去する。例えば、図１３では、マイコン１０７は、第３の記録媒体１１３に記録された３シーン目の動画ファイルを第１の記録媒体１１１または第２の記録媒体１１２にコピーした後、動画ファイルとそのリレー記録情報を第３の記録媒体１１３から消去する。また、マイコン１０７は、コピーされた動画ファイルのコピー記録情報をコピー先の記録媒体に記録された管理ファイルに格納する。
【００９４】
Ｓ１２１０では、マイコン１０７は、表示制御部１０５を制御して、液晶パネル１０６に対して、図７の７０２に示したような、リレー記録出来ない旨の警告表示を表示させる。なお、この状態で、操作スイッチ群１１１より記録開始指示が入力された際は、図２の２０１で説明したような動作にて、通常記録を行う。
【００９５】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
2014045365.tif 000003
【図２】
2014045365.tif 000004
【図３】
2014045365.tif 000005
【図４】
2014045365.tif 000006
【図５】
2014045365.tif 000007
【図６】
2014045365.tif 000008
【図７】
2014045365.tif 000009
【図８】
2014045365.tif 000010
【図９】
2014045365.tif 000011
【図１０】
2014045365.tif 000012
【図１１】
2014045365.tif 000013
【図１２】
2014045365.tif 000014
【図１３】
2014045365.tif 000015
【図１４】
2014045365.tif 000016